(57)【要約】【課題】通電端子の横振れを極力抑制できる振動モータの提供。【解決手段】振動モータ１は、モータケース１０の開放端を塞ぐ端蓋本体２１に設けた一対のモータ給電部１４，１５と、基板３０側に設けて弾力的に出没可能な給電用接点Ｐに当接するための接触面部１６ｂ，１７ｂを含み一対のモータ給電部１４，１５に対応して接続した一対の板状通電端子１６，１７と、端蓋本体２１に一体に形成されてケース１０の周面に当接し接触面部１６ｂ，１７ｂを当該周面から離反させるスペーサ部２２を有する。第１の接触面部１６ｂはスペーサ部２２の第１の側面２２ａに当接する第１の当て止め部αを一体に有すると共に、第２の接触面部１７ｂはスペーサ部２２の第２の側面２２ｂに当接する第２の当て止め部βを一体に有する。【選択図】      図１
2006345599.tif 000002
【特許請求の範囲】
【請求項１】
モータケースの開放端を塞ぐ端蓋に設けた一対のモータ給電部と、基板側に設けて弾力的に出没可能な給電用接点に当接するための接触面部を含み前記モータ給電部に対応して接続した一対の板状通電端子と、前記端蓋に一体に形成されて前記モータケースの周面に当接し前記接触面部を当該周面から離反させるスペーサ部とを有する振動モータであって、
第１の接触面部は前記スペーサ部の第１の側面に当接する第１の当て止め部を一体に有すると共に、第２の接触面部は前記スペーサ部の第１の側面とは互い違いの第２の側面に当接する第２の当て止め部を一体に有して成ることを特徴とする振動モータ。
【請求項２】
請求項１において、前記当て止め部は、前記一対の接触面部が相隣接する内側縁とは反対側の外側縁寄りの先端から突出して前記周面寄りに屈曲形成されていることを特徴とする振動モータ。
【請求項３】
請求項１又は請求項２に規定する一対の板状通電端子のそれぞれは前記モータ給電部に接続するための折曲片部を有するＬ形状であって、前記一対の板状通電端子を二股状に連結するための摘み片部を前記一対の折曲片部から張り出して一体に備えた端子部品において、前記一対の折曲片部と前記摘み片部との間に分割用溝を設けて成ることを特徴とする端子部品。
【発明の詳細な説明】
【技術分野】
【０００１】
本発明は、偏心錘を有する振動モータに関し、特に、基板側に設けた弾力的に出没可能な給電用接点に板状通電端子を当接して実装される振動モータに関する。
【背景技術】
【０００２】
従来一般に、振動モータはバネ性の一対の通電端子を有し、基板側の給電パターンにこの通電端子を当接させた状態で実装している。ところが、振動モータ自身の振動や外的振動衝撃力によって、バネ性の通電端子が給電パターン上で横振れを生じ易く、電気的接続が阻害される。これを改善するものとして、特開２００２―３３０５６７に示す構造が開示されている。
【０００３】
即ち、振動モータの胴部（モータケース）を覆う弾性体のグロメットに対向面を挟んで通電端子の先端形状に合わせた一対の凹部を設け、この一対の凹部に一対の通電端子の先端部を位置決めした状態で基板側の給電パターンに当接して成る。
【特許文献１】特開２００２―３３０５６７
【発明の開示】
【発明が解決しようとする課題】
【０００４】
しかしながら、通電端子はバネ性に富み、しかもグロメットは弾性体（ゴム）であるため、それぞれは偏心錘の回転振動とは外れた不要振動を持ち、通電端子にはなおも横振れが生じ易い。
【０００５】
そこで、上記問題点に鑑み、本発明の課題は、通電端子の横振れを極力抑制できる振動モータを提供することにある。
【課題を解決するための手段】
【０００６】
上記課題を解決するため、本発明は、モータケースの開放端を塞ぐ端蓋に設けた一対のモータ給電部と、基板側に設けて弾力的に出没可能な給電用接点に当接するための接触面部を含みモータ給電部に対応して接続した一対の板状通電端子と、端蓋に一体に形成されてモータケースの周面に当接し接触面部を当該周面から離反させるスペーサ部とを有する振動モータであって、第１の接触面部はスペーサ部の第１の側面に当接する第１の当て止め部を一体に有すると共に、第２の接触面部はスペーサ部の第１の側面とは互い違いの第２の側面に当接する第２の当て止め部を一体に有して成る。
【０００７】
スペーサ部が端蓋に一体に形成されてモータケースの周面に当接し、また基板側の給電用接点が弾力的に出没可能であるため、振動モータ側のスペーサ部と板状通電端子とに格別の弾性を持たせずに済み、不要振動を抑制できる。しかも、第１の接触面部はスペーサ部の第１の側面に当接する第１の当て止め部を一体に有すると共に、第２の接触面部はスペーサ部の第１の側面とは互い違いの第２の側面に当接する第２の当て止め部を一体に有して成るため、接触面部同士の間隔を拘束でき、その横振れを極力抑制できる。
【０００８】
当て止め部は、一対の接触面部が相隣接する内側縁とは反対側の外側縁寄りの先端から突出してモータケースの周面寄りに屈曲形成されていることが望ましい。
【０００９】
当て止め部は板状通電端子の基部から一番遠く離れた位置でスペーサ部に当て止めされているため、両端支持構造となって不要振動を抑制でき、また当て止め部が接触面部の外側縁寄りに形成されているため、接触面部の横幅を広くして基板側の給電用接点とのコンタクト余裕を確保できると共に、一対の接触面部がモータケースからはみ出さずに済む。
【００１０】
一対の板状通電端子のそれぞれはモータ給電部に接続するための折曲片部を有するＬ形状とすることができるが、一対の板状通電端子を二股状に連結するための摘み片部を一対の折曲片部から張り出して一体に備えた端子部品を用いることが望ましい。一対の折曲片部と摘み片部との間に分割用溝を設けると良い。
【００１１】
この端子部品の摘み片部を摘んで一対のモータ給電部に一対の折曲片部を取着接続した状態では、一対の板状通電端子が所定の間隔で保持されて二股状に摘み片部で連結しているため、各板状通電端子がばらけることなく、その平行度を維持したまま接続でき、また、摘み片部が端蓋の端面上でラジアル方向にはみ出るため、摘み板部を摘んで分割用溝で簡単に折り曲げて分離でき、板状通電端子から摘み板部を取り除くことができる。板状通電端子の取着時の作業効率も高まる。
【発明の効果】
【００１２】
本発明においては、スペーサ部が端蓋に一体に形成されてモータケースの周面に当接し、また基板側の給電用接点が弾力的に出没可能であるため、振動モータ側のスペーサ部と板状通電端子とに格別の弾性を持たせずに済み、不要振動を抑制することができる。しかも、第１の接触面部はスペーサ部の第１の側面に当接する第１の当て止め部を一体に有すると共に、第２の接触面部はスペーサ部の第１の側面とは互い違いの第２の側面に当接する第２の当て止め部を一体に有して成るため、接触面部同士の間隔を拘束でき、その横振れを極力抑制できる。
【発明を実施するための最良の形態】
【００１３】
次に、本発明の実施形態を添付図面に基づいて説明する。
【００１４】
図１は本発明の一実施例に係る振動モータを示す組立斜視図、図２は同振動モータを一部分離した分解斜視図、図３は図２に示す状態を別の角度から見た分解斜視図、図４は同振動モータに用いる一対の板状通電端子を示す斜視図、図５は同振動モータの基板への実装状態を示す側面図である。
【００１５】
本例の振動モータ１は、円筒状のモータケース１０から突出したモータ軸１１に偏心錘１２を取着して成る。モータケース１０内には、その内周面に固定されたマグネット（図示せず）と、モータ軸１１に固定された回転子（図示せず）と、モータ軸１１に固定されて回転子に電気的に接続した整流子（図示せず）が設けられている。モータケース１０の開放端は、ブラシ対１３，軸受け（図示せず）などを保持した樹脂製の端蓋（エンドブラケット）２０で塞がれている。
【００１６】
端蓋２０は絶縁樹脂製であって、モータケース１０の開放端を塞ぐ端蓋本体２１と、この端蓋本体２１に一体に形成されてモータケース１０の周面に当接するスペーサ部２２とを有する。スペーサ部２２の下面はモータケース１０の周面に合う湾曲面であって、スペーサ部２２の上面は平坦面となっている。端蓋本体２１はブラシ対１３を収容するための筒状部２１ａと、モータケース１０の開放端に形成された切欠き１０ａに嵌る回り止め突起２１ｂと、モータケース１０の周面に当接して振動モータ１の転がりを防ぐ一対のコーナ突起２１ｃ，２１ｃとを一体に有している。端蓋本体２１の反偏心錘側の端面には、図３に示す如く、ブラシ対１３に接続する一対のモータ給電部（中継端子）１４，１５が突出している。
【００１７】
このモータ給電部（中継端子）１４，１５には、対応するＬ形状の板状通電端子１６，１７の折曲片部１６ａ，１７ａに開けた端子挿通孔１６ａａ，１７ａａが嵌っており、半田付け１８，１９で接続されている。また、板状通電端子１６，１７の折曲片部１６ａ，１７ａには差込み孔１６ａｂ，１７ａｂが形成されており、端蓋本体２１の反偏心錘側の端面の差込み突起２１ｄ，２１ｅに嵌っている。各板状通電端子１６（１７）はスペーサ部２２の上に張り出た接触面部１６ｂ（１７ｂ）を備え、接触面部１６ｂ（１７ｂ）は、図５に示す如く、基板３０側に固定されて対応する給電接点Ｐに当接する。この給電接点Ｐは弾力的に出没可能である。そして、第１の接触面部１６ｂはスペーサ部２２の第１の側面２２ａに当接する第１の当て止め部αを一体に有すると共に、第２の接触面部１７ｂはスペーサ部２２の第１の側面２２ａとは互い違いの第２の側面２２ｂに当接する第２の当て止め部βを一体に有する。当て止め部α，βは、一対の接触面部１６ｂ，１７ｂが相隣接する内側縁とは反対側の外側縁寄りの先端から突出してモータケース１０の周面寄りに屈曲形成されている。
【００１８】
スペーサ部２２が端蓋本体２１に一体に形成されてモータケース１０の周面に当接し、また基板３０側の給電用接点Ｐが弾力的に出没可能であるため、振動モータ１側のスペーサ部２２と板状通電端子１６，１７とに格別の弾性を持たせずに済み、不要振動を抑制できる。しかも、第１の接触面部１６ｂはスペーサ部２２の第１の側面２２ａに当接する第１の当て止め部αを一体に有すると共に、第２の接触面部１７ｂはスペーサ部２２の第１の側面２２ａとは互い違いの第２の側面２２ｂに当接する第２の当て止め部βを一体に有して成るため、接触面部１６ｂ，１７ｂ同士の間隔を拘束でき、その横振れを極力抑制できる。
【００１９】
特に、当て止め部α，βは、一対の接触面部１６ｂ，１７ｂが相隣接する内側縁とは反対側の外側縁寄りの先端から突出してモータケース１０の周面寄りに屈曲形成されているため、当て止め部α，βは板状通電端子１６，１７の基部から一番遠く離れた位置でスペーサ部２２に当て止めされているため、両端支持構造となって不要振動を抑制でき、また当て止め部α，βが接触面部１６ｂ，１７ｂの外側縁寄りに形成されているため、接触面部１６ｂ，１７ｂの横幅を広くして基板３０側の給電用接点Ｐとのコンタクト余裕を確保できると共に、一対の接触面部１６ｂ，１７ｂがモータケース１０からはみ出さずに済む。
【００２０】
図６（Ａ）はＬ形状の一対の板状通電端子１６，１７を備えた端子部品４０を示す正面図、（Ｂ）は同端子部品４０の右側面図である。
【００２１】
この端子部品４０は、Ｌ形状の一対の板状通電端子１６，１７を二股状に連結するための摘み片部４１を一対の折曲片部１６ａ，１７ａから張り出して一体に備えた端子部品である。摘み片部４１には央孔Ｈが形成されている。そして、一対の折曲片部１６ａ，１７ａと摘み片部４１との境界線には分割用溝Ｎが形成されている。なお、分割用溝Ｎは両面に施しても良い。
【００２２】
この端子部品４０の摘み片部４１を摘んで一対のモータ給電部１４，１５に一対の折曲片部１６ａ，１７ａを取着接続した状態では、一対の板状通電端子１６，１７が所定の間隔で保持されて二股状に摘み片部４１で連結しているため、各板状通電端子１６，１７がばらけることなく、その平行度を維持したまま接続でき、また、摘み片部４１が端蓋本体２１の端面上でラジアル方向にはみ出るため、摘み板部４１を摘んで分割用溝Ｎで簡単に折り曲げて分離でき、板状通電端子１６，１７から摘み板部４１を取り除くことができる。板状通電端子１６，１７の取着時の作業効率も高まる。
【図面の簡単な説明】
【００２３】
【図１】本発明の一実施例に係る振動モータを示す組立斜視図である。
【図２】同振動モータを一部分離した分解斜視図である。
【図３】図２に示す状態を別の角度から見た分解斜視図である。
【図４】同振動モータに用いる一対の板状通電端子を示す斜視図である。
【図５】同振動モータの基板への実装状態を示す側面図である。
【図６】（Ａ）は同一対の板状通電端子を備えた端子部品を示す正面図、（Ｂ）は同端子部品の右側面図である。
【符号の説明】
【００２４】
１…振動モータ
１０…モータケース
１０ａ…切欠き
１１…モータ軸
１２…偏心錘
１３…ブラシ対
１４，１５…モータ給電部（中継端子）
１６，１７…Ｌ形状の板状通電端子
１６ａ，１７ａ…折曲片部
１６ａａ，１７ａａ…端子挿通孔
１６ｂ…第１の接触面部
１７ｂ…第２の接触面部
１６ａｂ，１７ａｂ…差込み孔
１８，１９…半田付け
２０…端蓋（エンドブラケット）
２１…端蓋本体
２１ａ…筒状部
２１ｂ…回り止め突起
２１ｃ…コーナ突起
２１ｄ，２１ｅ…差込み突起
２２…スペーサ部
２２ａ…第１の側面
２２ｂ…第２の側面
３０…基板
４０…端子部品
４１…摘み片部
α…第１の当て止め部
β…第２の当て止め部
Ｈ…央孔
Ｎ…分割用溝
Ｐ…給電用接点
【図１】
2006345599.tif 000003
【図２】
2006345599.tif 000004
【図３】
2006345599.tif 000005
【図４】
2006345599.tif 000006
【図５】
2006345599.tif 000007
【図６】
2006345599.tif 000008